(57)【要約】【課題】  再封緘したときに意図せずに開封されることを防止または抑制することができる蓋付き箱体を提供する。【解決手段】  上部に開口を有する箱本体２と、下部に開口を有し、箱本体２の開口する上部を覆う蓋部１とを備える蓋付き箱体である。箱本体２は、底板２７と、底板２７の周縁から起立する本体周板１９とを有する。蓋部１は、天板２８と、天板２８の周縁から垂下して本体周板１９の外側に重なる蓋周板８とを有する。本体周板１９は、蓋周板８が重ねられるとともに該本体周板１９の上縁から離間した所定範囲を切り離し可能とする切離可能部２５を備える。切離可能部２５は、蓋周板８に固定される固定部２５ａと、上下方向に交わる方向に延びる係止折目線ｒを介して該固定部２５ａの上側に連設された係止部２５ｂとを備える。【選択図】図５
2020164199.tif 000002
【特許請求の範囲】
【請求項１】
上部に開口を有する箱本体と、
下部に開口を有し、前記箱本体の開口する前記上部を覆う蓋部とを備え、
前記箱本体は、底板と、前記底板の周縁から起立する本体周板とを有し、
前記蓋部は、天板と、前記天板の周縁から垂下して前記本体周板の外側に重なる蓋周板とを有する蓋付き箱体であって、
前記本体周板は、前記蓋周板が重ねられるとともに該本体周板の上縁から離間した所定範囲を切り離し可能とする切離可能部を備え、
前記切離可能部は、前記蓋周板に固定される固定部と、上下方向に交わる方向に延びる係止折目線を介して該固定部の上側に連設された係止部とを備えることを特徴とする蓋付き箱体。
【請求項２】
請求項１記載の蓋付き箱体において、
前記箱本体と前記蓋部とを連結する第１の連結部を備え、
前記第１の連結部は、一端が前記本体周板の上縁の一部に連結破断可能線を介して連結されていると共に、他端が前記蓋周板の下縁の一部に連結され、前記蓋周板と前記本体周板との間に収容されており、
前記切離可能部は、その外側に前記第１の連結部が折り重ねられるとともに、該切離可能部の前記固定部は、前記第１の連結部を介して前記蓋周板に固定されていることを特徴とする蓋付き箱体。
【請求項３】
請求項２記載の蓋付き箱体において、
前記箱本体と前記蓋部とを連結する第２の連結部を備え、
前記第２の連結部は、一端が前記本体周板の上縁の一部に連結されていると共に、他端が前記蓋周板の下縁の一部に連結され、前記蓋周板と前記本体周板との間に収容されており、
前記蓋周板と前記本体周板とは、前記第２の連結部を介して固定され、
前記蓋周板は、前記第２の連結部を挟んで該蓋周板の下縁から上方に向かって延設された一対の切込みと、前記一対の切れ込みの先端を結び前記本体周板の上縁に沿って延設されたヒンジ折目線とを有することを特徴とする蓋付き箱体。
【請求項４】
請求項２または３に記載の蓋付き箱体において、
前記連結部は、厚み方向に貫通する貫通孔を備え、
前記蓋周板と前記本体周板とは、前記貫通孔を介して接着剤で直接接着されていることを特徴とする蓋付き箱体。
【発明の詳細な説明】
【技術分野】
【０００１】
本発明は、上部に開口を有する箱本体と、前記箱本体の開口する前記上部を覆う蓋部とを備える蓋付き箱体に関する。
【背景技術】
【０００２】
従来、この種の蓋付き箱体として、上部が開放された箱本体と、下部が開放されて箱本体の開放された上部を覆う蓋部と、箱本体と蓋部とを連結する一対の連結部と、を備える蓋付き箱体が知られている（特許文献１参照）。
【０００３】
この蓋付き箱体では、箱本体は、底板と、底板の周縁から起立する本体周板とを備え、蓋部は、天板と、天板の周縁から垂下して本体周板の外側に少なくとも一部が重なる蓋周板とを備え、連結部は、一端が本体周板の上縁の一部に連結されていると共に、他端が蓋周板の下縁の一部に連結され、且つ、蓋部が箱本体を覆う状態のときに蓋周板の内側に収容され、本体周板には、その一部を切り取ることにより連結部を切り離す切離可能部を設けられている。
【０００４】
これにより、この蓋付き箱体では、本体周板から切離可能部を破断することで、蓋部を上方に持ち上げることで、箱本体の上部を開口させることができる。
【先行技術文献】
【特許文献】
【０００５】
【特許文献１】登録実用新案第３２１１２６９号公報
【発明の概要】
【発明が解決しようとする課題】
【０００６】
しかしながら、特許文献１の包装箱で再封緘するときは、本体周板の外周に蓋周板を外嵌するのみであるため、意図せず開封されてしまうことがあるという不都合がある。
【０００７】
上記の点に鑑み、本発明は、再封緘したときに意図せずに開封されることを防止または抑制することができる蓋付き箱体を提供することを目的とする。
【課題を解決するための手段】
【０００８】
かかる目的を達成するために、本発明の蓋付き箱体は、上部に開口を有する箱本体と、下部に開口を有し、前記箱本体の開口する前記上部を覆う蓋部とを備え、前記箱本体は、底板と、前記底板の周縁から起立する本体周板とを有し、前記蓋部は、天板と、前記天板の周縁から垂下して前記本体周板の外側に重なる蓋周板とを有する蓋付き箱体であって、前記本体周板は、前記蓋周板が重ねられるとともに該本体周板の上縁から離間した所定範囲を切り離し可能とする切離可能部を備え、前記切離可能部は、前記蓋周板に固定される固定部と、上下方向に交わる方向に延びる係止折目線を介して該固定部の上側に連設された係止部とを備えることを特徴とする。
【０００９】
本発明によれば、箱本体と蓋部とは、蓋部の蓋周板に対して箱本体の本体周板の切離可能部の固定部が固定されることで封緘されているため、切離可能部を本体周板から切り離すことで、開封することができる。
【００１０】
このとき、切離可能部は、固定部の上側に上下方向に交わる方向に延びる係止折目線を介して切離可能部の上縁を含む係止部が設けられている。そのため、蓋周板の下縁から、蓋周板と本体周板との間に手指を挿入し、本体周板から離れる方向に蓋周板を牽引することで切離可能部を本体周板から切り離していくと、先に、下側の固定部が本体周板から徐々に破断される。次いで、上側の係止部が本体周板から徐々に破断されていくが、固定部と係止部との境界には上下方向に交わる方向に延びる係止折目線が形成されているため、係止部は係止折目線で折り曲げられながら牽引されて、その徐々に本体周板から破断される。
【００１１】
この結果、係止折目線には折癖がつけられるため、係止部は、蓋部の内側かつ上方に向かって斜めに突出する。
【００１２】
次いで、箱本体を蓋部で再封減する場合、蓋周板を本体周板に外嵌していくと、切離可能部は、切離可能部が取り除かれた空間に再配置される。このとき、係止部は、係止折目線の折癖によって、箱本体の内側かつ上方に向かって斜めに突出する。
【００１３】
ところで、切離可能部は、本体周板の上縁から離間した所定範囲に設けられているものであるため、本体周板の該上縁を含む上端部は係止部の上方に残存している。そのため、再度、蓋を上方に引き上げようとした場合、本体周板の上端部に係止部が係止される。
【００１４】
以上により、本発明の蓋付き箱体によれば、再封緘したときに本体周板の上端部に係止部が係止されため、意図せずに開封されることを防止または抑制することができる。
【００１５】
また、本発明の蓋付き箱体では、前記箱本体と前記蓋部とを連結する第１の連結部を備え、前記第１の連結部は、一端が前記本体周板の上縁の一部に連結破断可能線を介して連結されていると共に、他端が前記蓋周板の下縁の一部に連結され、前記蓋周板と前記本体周板との間に収容されており、前記切離可能部は、その外側に前記第１の連結部が折り重ねられるとともに、該切離可能部の前記固定部は、前記第１の連結部を介して前記蓋周板に固定されていることが好ましい。
【００１６】
この構成を備える蓋付き箱体によれば、一枚の板紙から形成することができる。
【００１７】
さらに、上記構成を備える蓋付き箱体では、前記箱本体と前記蓋部とを連結する第２の連結部を備え、前記第２の連結部は、一端が前記本体周板の上縁の一部に連結されていると共に、他端が前記蓋周板の下縁の一部に連結され、前記蓋周板と前記本体周板との間に収容されており、前記蓋周板と前記本体周板とは、前記第２の連結部を介して固定され、前記蓋周板は、前記第２の連結部を挟んで該蓋周板の下縁から上方に向かって延設された一対の切込みと、前記一対の切れ込みの先端を結び前記本体周板の上縁に沿って延設されたヒンジ折目線とを有することが好ましい。
【００１８】
この構成を備える蓋付き箱体によれば、蓋部がヒンジによって開閉可能な箱体を一枚の板紙から形成することができる。
【００１９】
さらに、前記連結部を有する蓋付き箱体では、前記連結部は、厚み方向に貫通する貫通孔を備え、前記蓋周板と前記本体周板とは、前記貫通孔を介して接着剤で直接接着されていることが好ましい。
【００２０】
この構成を備える蓋付き箱体によれば、切離可能部と連結部とを接着してから連結部と蓋周板とを接着するというように２工程の接着作業を行う必要が無く、１回の接着工程によって、切離可能部と蓋周板とを接着させることができ、製造工程を簡略化させることができる。
【図面の簡単な説明】
【００２１】
【図１】本発明の実施形態の蓋付き箱体を示す斜視図であって、図１Ａは正面側から見た斜視図、図１Ｂは背面側から見た斜視図。
【図２】本実施形態の蓋付き箱体の組み立て前の展開した状態を示す説明図。
【図３】図３Ａは、連結部を折目線ｏ，ｐで折り曲げた状態を模式的に示す説明図。図３Ｂは、貫通孔を介して切離可能部に接着剤を塗布した状態を模式的に示す説明図。図３Ｃは、第１蓋側板を折目線ｍ，ｎで折り曲げ、切離可能部と第１蓋側板とを接着剤で接着した状態を模式的に示す説明図。
【図４】図４Ａは、蓋付き箱体の正面側の側板を模式的に示す断面図。図４Ｂは、蓋部を持ち上げて、切離可能部を切り離し始めた状態を模式的に示す断面図。図４Ｃは、切離可能部を切り離し、連結破断可能線を破断させた状態を模式的に示す断面図。図４Ｄは、再封減したときの状態を模式的に示す断面図。
【図５】蓋部を持ち上げて、箱本体の背面側に回動させた状態を示す斜視図。
【発明を実施するための形態】
【００２２】
本発明の一実施形態を図面に基づいて説明する。本実施形態の蓋付き箱体は、外観が直方体形状であり、図１に示すように、蓋部１と箱本体２とからなる。
【００２３】
まず、蓋付き箱体の構成を展開状態で説明する。図２は、蓋付き箱体の外表面側を示すものであり、図２に示すように、蓋付き箱体は一枚の板紙から形成される。板紙は、蓋部１を形成するための上部形成部３と、箱本体２を形成するための下部形成部４とを備えている。上部形成部３と下部形成部４との間には間隙が形成されており、この間隙には第１連結部５ａおよび第２連結部５ｂが設けられて上部形成部３と下部形成部４とを連結している。
【００２４】
上部形成部３は、一対の第１蓋側板６ａ，６ｂと一対の第２蓋側板７，７とを備えている。第１蓋側板６ａ，６ｂ及び第２蓋側板７，７は、組立状態の蓋付き箱体においては蓋周板８（図１参照）を構成する。
【００２５】
第１蓋側板６ａ，６ｂと第２蓋側板７，７とは、折目線ａ，ａ，ｂを介して交互に一列に連設されている。第１蓋側板６ｂの右側端には、折目線ｃを介して上部接着片９が連設されている。
【００２６】
第１蓋側板６ａ，６ｂの上縁には、折目線ｄ，ｄを介して上部外フラップ１０ａ，１０ｂが連設され、第２蓋側板７，７の上縁には、折目線ｅ，ｅを介して一対の上部内フラップ１１，１１が連設されている。
【００２７】
第１蓋側板６ｂと第２蓋側板７との境界の下端部分には概略直角三角形状の切欠き部１２（本発明の「切込み」に相当する。）が形成されている。また、第１蓋側板６ｂの右端の下端部分（上部接着片９の下方の端縁）と、左端の第２蓋側板７の下端部分との夫々には、組み立てた際に概略直角三角形状の単一の切欠き状態となる切欠き部１３ａ，１３ｂが形成されている。
【００２８】
切欠き部１３ａ，１３ｂは、図１及び図４ｂに示すように組み立てられることにより１つの切込み部１３として構成される。
【００２９】
第１蓋側板６ｂには、切欠き部１３ａの上端と切欠き部１２の上端を結ぶように左右方向に平行に延びるヒンジ折目線ｆが形成されている。このヒンジ折目線ｆは、第２連結部５ｂの上端からの距離が、第２連結部５ｂの上下方向の長さと実質的に同一となる位置に形成されている。
【００３０】
下部形成部４は、第１本体側板１７ａ，１７ｂと一対の第２本体側板１８，１８とを備えている。第１本体側板１７ａ，１７ｂ及び第２本体側板１８，１８は、組立状態の蓋付き箱体においては本体周板１９（図１参照）を構成する。
【００３１】
第１本体側板１７ａ，１７ｂと各第２本体側板１８，１８とは、折目線ｇ，ｇ，ｈを介して交互に一列に連設されている。第１本体側板１７ｂの左側端には、折目線ｉを介して下部接着片２０が連設されている。
【００３２】
第１本体側板１７ａ，１７ｂの下縁には、折目線ｊ，ｊを介して下部外フラップ２１ａ，２１ｂが連設され、第２本体側板１８，１８の下縁には、折目線ｋ，ｋを介して一対の下部内フラップ２２，２２が連設されている。
【００３３】
第１連結部５ａ及び第２連結部５ｂの上端は夫々折目線ｍ，ｎを介して第１蓋側板６ａ，６ｂの下縁に連設され、第１連結部５ａ及び第２連結部５ｂの下端は折目線ｏ，ｐを介して第１本体側板１７ａ，１７ｂの上縁に連設されている。なお、折目線ｏは、ミシン目によって破断可能線として形成されており、これが本発明の連結破断可能線に相当する。
【００３４】
第１連結部５ａ及び第２連結部５ｂには、円状の２つの貫通孔２３ａ，２３ｂが夫々設けられている。第１本体側板１７ａ，１７ｂの円形状の仮想線で示された２つの直接対向部２４ａ，２４ｂは、第１連結部５ａ及び第２連結部５ｂが第１本体側板１７ａ，１７ｂに折り重ねられたときに貫通孔２３ａ，２３ｂが位置する領域を示している。
【００３５】
第１本体側板１７ａには、所定範囲を切り離し可能な切離可能部２５が破断可能線ｑにより概略ハート形状に形成されている。切離可能部２５は、中央部に前記直接対向部２４ａを内包しており、この直接対向部２４ａの内側領域に貫通孔２３ａを介して第１蓋側板６ａに接着剤で直接接着される固定部２５ａが形成される。
【００３６】
また、切離可能部２５には、固定部２５ａの上下方向略中間部から左右方向にそれぞれ延びる係止折目線ｒを介して、略扇形状の係止部２５ｂが一対形成されている。固定部２５ａは、少なくとも一部が係止部２５ｂよりも下方に配置されている。
【００３７】
次いで、図３を参照して、図２示の板紙の組立て方法について説明する。
【００３８】
まず、図３Ａに模式的に示すように、第１連結部５ａ（第２連結部５ｂ）を折目線ｏ（ｐ）に沿って折り曲げる（連結部折曲工程）。そして、図３Ｂに模式的に示すように、貫通孔２３ａ（２３ｂ）から露出する切離可能部２５の直接対向部２４ａ（２４ｂ）の表面（図３Ｂの上側の面）に接着剤２６を塗布する（接着剤塗布工程）。なお、接着剤２６は、直接対向部２４ａ（２４ｂ）に対向する第１蓋側板６ａ（６ｂ）の裏面に塗布してもよい。
【００３９】
そして、図３Ｃに模式的に示すように、折り返すようにして、上部形成部３を折目線ｍ及びｎに反って折り曲げる（蓋周板折曲工程）。なお、接着剤２６を初めに直接対向部２４ａ，２４ｂに塗布する場合には、連結部折曲工程と蓋周板折曲工程とは同時に行うこともできる。そして、直接対向部２４ａ，２４ｂの表面の内側領域を、貫通孔２３ａ（２３ｂ）を介して第１蓋側板６ａ，６ｂに接着剤２６で接着させる（接着工程）。
【００４０】
次いで、第１、第２蓋側板６ａ，６ｂ，７，７及び第１、第２本体側板１７ａ，１７ｂ，１８，１８を四角筒状に形成し、一側端の上部接着片９及び下部接着片２０を他側端に接着する。これにより四角筒状の胴部が形成される。そして、下部内フラップ２２，２２を互いに向き合う方向に折り曲げ、下部外フラップ２１ａ，２１ｂを重合させて底板２７を形成する。そして、被包装物を胴部に投入し、上部内フラップ１１，１１を互いに向き合う方向に折り曲げ、上部外フラップ１０ａ，１０ｂを重合させて天板２８を形成する。
【００４１】
これにより、図１Ａ及び図１Ｂに示すように、蓋部１と箱本体２とからなる蓋付き箱体が形成される。この蓋付き箱体は、箱本体２の本体周板１９の上部の一部が、蓋部１の蓋周板８の下部に内嵌されている。
【００４２】
次いで、図４Ａ乃至図４Ｃ並びに図５を参照して、このように形成された蓋付き箱体の開封方法について説明する。
【００４３】
まず、図４Ａに示す第１連結部５ａと第１本体側板１７ａとの間に手指等を挿し込み、第１蓋側板６ａを上方に持ち上げる。このとき、
切欠き部１２
これにより、第１蓋側板６ｂがヒンジ折目線ｆで屈曲されて、蓋部１と箱本体２をと繋ぐヒンジとなり、第１蓋側板６ａが第１本体側板１７ａから離間する方向に回動する。
この結果、切離可能部２５の周囲が破断可能線ｑで下端から左右それぞれから上方に向かって破断されていく。
【００４４】
このとき、切離可能部２５うち固定部２５ａは、接着剤２６によって第１連結部５ａに接着されているため、第１連結部５ａが第１本体側板１７ａから離間するのと同時にその周囲の破断可能線ｑが破断される。
【００４５】
これに対し、切離可能部２５うち係止部２５ｂは、第１連結部５ａに接着されておらず、かつ、係止折目線ｒを介して固定部２５ａに連設されているため、その周囲の破断可能線ｑが破断完了するまでに、係止折目線ｒにより第１連結部５ａから離れる方向に折れ曲げられる。
【００４６】
さらに、第１蓋側板６ａの下端を上方に持ち上げると、第１連結部５ａと第１本体側板１７ａと境界に設けられた折目線ｏは、ミシン目によって破断可能線として形成されているため破断される。
【００４７】
これにより、図５に示すように、蓋付き箱体は開封され、第１本体側板１７ａの上端部には、切離可能部２５が切り取られることで、略ハート形状の周縁を有する開口部２９が形成される。また、係止折目線ｒには折癖がつくため、係止部２５ｂは、蓋部１の内側かつ天板２８に向かって斜めに突出する。
【００４８】
次いで、図４Ｄを参照して、箱本体２を蓋部１で再封減した場合について説明する。
【００４９】
まず、ヒンジ折目線ｆをヒンジとして蓋部１を回動させ箱本体２に被せ、蓋周板８を本体周板１９に外嵌する。
【００５０】
これにより、図４Ｄに示すように、切離可能部２５は、開口部２９の内部空間に再配置される。但し、係止部２５ｂは、係止折目線ｒに折癖がついているため、箱本体２の内側かつ上方に向かって斜めに突出する。そのため、再度、蓋を上方に引き上げようとした場合、開口部２９の上側の周縁に係止部２５ｂが係止される。
【００５１】
以上により、本実施形態の蓋付き箱体によれば、再封緘したときに第１本体側板１７ａの上端部に係止部２５ｂが係止されため、意図せずに開封されることを防止または抑制することができる。
【００５２】
また、本実施形態の蓋付き箱体によれば、開口部２９が第１本体側板１７ａの全ての周縁から所定の距離離間した中間部に設けられるため、第１本体側板１７ａの上縁の一部を切り取るような開口部を形成した場合に比べて、箱本体２の強度を保持することができる。
【００５３】
また、本実施形態の蓋付き箱体によれば、貫通孔２３ａ，２３ｂを介して第１蓋側板６ａ，６ｂと第１本体側板１７ａ，１７ｂとを直接接着させることができるため、従来のように２工程の接着作業を行う必要が無く、蓋付き箱体の製造工程を簡略化させることができる。
【００５４】
なお、本実施形態においては、底板２７及び天板２８が矩形状の蓋付き箱体を用いて説明したが、本発明の底板及び天板は、これに限らない。本発明の底板及び天板は、例えば、円形状であってもよく、または三角形状や五角形状以上の多角形状であってもよい。また、底板及び天板を複数のフラップで構成していなくてもよく、１枚板で構成してもよい。また、底板２７と天板２８とは相似形状でなくてもよく、例えば、底板と天板とを同一形状としてもよい。
【００５５】
また、本実施形態の蓋付き箱体は、紙でなくてもよく、段ボールや合成樹脂など他の材料で形成されていてもよい。
【００５６】
また、本実施形態の蓋付き箱体は、１枚の板紙を打ち抜いて形成されていなくてもよく、複数枚の板を繋ぎ合せて構成されていてもよい。
【００５７】
また、本実施形態においては、貫通孔２３ａ，２３ｂを介して第１蓋側板６ａ，６ｂと第１本体側板１７ａとを直接接着させるものを説明したが、本発明はこれに限られず、第１連結部５ａ，第２連結部５ｂに対して、第１蓋側板６ａ，６ｂと第１本体側板１７ａとをそれぞれ個別に接着することもできる。
【００５８】
また、本実施形態においては、略ハート形状の切離可能部２５を例に説明したが、切離可能部の形状は、多角形状、円形状などどのような形状でもよく、一定の面積を有する閉じた領域であり、固定部の少なくとも一部が係止部よりも下方に位置していればよい。例えば、切離可能部が円形であり、下半分の固定部と上半分の係止部とが係止折目線を境界として連設されているものでよい。
【００５９】
また、本実施形態においては、第１連結部５ａと第１本体側板１７ａとの境界に連結破断可能線を形成したものを例に説明したが、連結破断可能線はこれに限られず、例えば、板紙状態で貫通孔と切離可能部との間を通るものであれば、第１連結部５ａの側縁を結ぶものであってもよく、第１連結部５ａが連設されていない第１本体側板１７ａの上縁の一方と他方とを結ぶものであってもよい。
【００６０】
また、本実施形態では、三角形状の切欠き部１２を例として、本発明の切れ込みを説明したが、切れ込みは、第１蓋側板６ｂと第２蓋側板７との境界に沿って下端から上方に延びる切れ込み線でもよい。
【符号の説明】
【００６１】
１          蓋部
２          箱本体
５ａ        第１の連結部（第１連結部）
５ｂ        第２の連結部（第２連結部）
８          蓋周板
１２，１３  切込み（切欠き部）
１９        本体周板
２３        貫通孔
２５        切離可能部
２５ａ      固定部
２５ｂ      係止部
２７        底板
２８        天板
ｆ          ヒンジ折目線
ｏ          連結破断可能線
ｒ          係止折目線
【図１】
2020164199.tif 000003
【図２】
2020164199.tif 000004
【図３】
2020164199.tif 000005
【図４】
2020164199.tif 000006
【図５】
2020164199.tif 000007